【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
相互に交換可能な複数のパーツを構成部品として有し、記録紙に画像を形成する画像形成システムであって、
画像形成を制御すると共に、各パーツの状況を管理する制御部を備え、
前記制御部は、いずれかのパーツの交換時期が到来した場合に、交換時期が到来した前記パーツである交換対象パーツに対して、相互に交換が可能なパーツとしての互換パーツの存在を検出する機能を有する、
ことを特徴とする画像形成システム。
【請求項２】
記録紙のいずれかの領域を分担して画像形成することが可能に直列に接続された複数の画像形成装置を備え、
前記制御部は、一方の画像形成装置のいずれかのパーツの交換時期が到来した場合に、前記互換パーツの存在を他方の画像形成装置において検出する、
ことを特徴とする請求項１に記載の画像形成システム。
【請求項３】
前記制御部は、前記交換対象パーツと前記互換パーツとを相互に交換した場合に生じる影響を求める機能を有する、
ことを特徴とする請求項１−２のいずれか一項に記載の画像形成システム。
【請求項４】
前記制御部は、前記互換パーツの存在を検出し、該検出結果を画像形成システム外の機器に対して出力する機能を有する、
ことを特徴とする請求項１−３のいずれか一項に記載の画像形成システム。
【請求項５】
各種情報を表示する表示部を備え、
前記制御部は、前記互換パーツの存在を検出し、該検出結果を前記表示部に表示する機能を有する、
ことを特徴とする請求項１−４のいずれか一項に記載の画像形成システム。
【請求項６】
各種情報を表示する表示部と、各種操作が入力される操作部とを備え、
前記制御部は、前記交換対象パーツと前記互換パーツとを相互に交換した場合に生じる影響とを前記表示部に表示すると共に、前記互換パーツを使用するか否かについての選択を前記操作部から受け付ける、
ことを特徴とする請求項３記載の画像形成システム。
【請求項７】
前記各パーツのそれぞれに非接触で読み取り可能であって各パーツの設定が記録される非接触タグが付され、
前記各パーツに付された前記非接触タグを読み取るタグ読み取り部を備え、
前記制御部は、交換されたパーツの交換前の設定を取得し、該設定を交換後の部位で反映させる、
ことを特徴とする請求項１−６のいずれか一項に記載の画像形成システム。
【請求項８】
相互に交換可能な複数のパーツを構成部品として有し、画像形成を制御すると共に前記パーツの状況を管理する制御部を備え、記録紙に画像を形成する画像形成システムを制御する画像形成システム制御方法であって、
前記制御部は、いずれかのパーツの交換時期が到来した場合に、交換時期が到来した前記パーツである交換対象パーツに対して、相互に交換が可能なパーツとしての互換パーツの存在を検出する機能を有する、
ことを特徴とする画像形成システム制御方法。
【請求項９】
前記画像形成システムは、記録紙のいずれかの領域を分担して画像形成することが可能に直列に接続された複数の画像形成装置を備えて構成されており、
前記制御部は、一方の画像形成装置のいずれかのパーツの交換時期が到来した場合に、前記互換パーツの存在を他方の画像形成装置において検出する、
ことを特徴とする請求項８に記載の画像形成システム制御方法。
【請求項１０】
前記制御部は、前記交換対象パーツと前記互換パーツとを相互に交換した場合に生じる影響を求める機能を有する、
ことを特徴とする請求項８−９のいずれか一項に記載の画像形成システム制御方法。
【請求項１１】
前記制御部は、前記互換パーツの存在を検出し、該検出結果を画像形成システム外の機器に対して出力する機能を有する、
ことを特徴とする請求項８−１０のいずれか一項に記載の画像形成システム制御方法。
【請求項１２】
前記画像形成システムは、各種情報を表示する表示部を備えて構成されており、
前記制御部は、前記互換パーツの存在を検出し、該検出結果を前記表示部に表示する機能を有する、
ことを特徴とする請求項８−１１のいずれか一項に記載の画像形成システム制御方法。
【請求項１３】
前記画像形成システムは、各種情報を表示する表示部と、各種操作が入力される操作部とを備えて構成されており、
前記制御部は、前記交換対象パーツと前記互換パーツとを相互に交換した場合に生じる影響とを前記表示部に表示すると共に、前記互換パーツを使用するか否かについての選択を前記操作部から受け付ける、
ことを特徴とする請求項１０記載の画像形成システム制御方法。
【請求項１４】
前記画像形成システムは、前記パーツのそれぞれに非接触で読み取り可能であって各パーツの設定が記録される非接触タグが付され、前記各パーツに付された前記非接触タグを読み取るタグ読み取り部を備えて構成されており、
前記制御部は、交換されたパーツの交換前の設定を取得し、該設定を交換後の部位で反映させる、
ことを特徴とする請求項８−１３のいずれか一項に記載の画像形成システム制御方法。
【請求項１５】
相互に交換可能なパーツをそれぞれの構成部品として有する複数の画像形成装置を管理する制御装置であって、
前記制御装置は、いずれかの画像形成装置におけるパーツの交換時期が到来した場合に、交換時期が到来した前記パーツである交換対象パーツに対して、他の画像形成装置における相互に交換が可能なパーツとしての互換パーツの存在を検出する機能を有する、
ことを特徴とする制御装置。
【請求項１６】
前記複数の画像形成装置は、記録紙のいずれかの領域を分担して画像形成することが可能に直列に接続された複数の画像形成装置である
ことを特徴とする請求項１５に記載の制御装置。
【請求項１７】
前記制御装置は、前記交換対象パーツと前記互換パーツとを相互に交換した場合に生じる影響を求める機能を有する、
ことを特徴とする請求項１５−１６のいずれか一項に記載の制御装置。
【請求項１８】
前記制御装置は、前記互換パーツの存在を検出し、該検出結果を前記複数の画像形成装置外の機器に対して出力する機能を有する、
ことを特徴とする請求項１５−１７のいずれか一項に記載の制御装置。
【請求項１９】
前記複数の画像形成装置は、各種情報を表示する表示部を備え、
前記制御装置は、前記互換パーツの存在を検出し、該検出結果を前記表示部に表示する機能を有する、
ことを特徴とする請求項１５−１８のいずれか一項に記載の制御装置。
【請求項２０】
前記複数の画像形成装置は、各種情報を表示する表示部と、各種操作が入力される操作部とを備え、
前記制御装置は、前記交換対象パーツと前記互換パーツとを相互に交換した場合に生じる影響とを前記表示部に表示すると共に、前記互換パーツを使用するか否かについての選択を前記操作部から受け付ける、
ことを特徴とする請求項１７記載の制御装置。
【請求項２１】
前記各パーツのそれぞれは、非接触で読み取り可能であって各パーツの設定が記録される非接触タグが付され、
前記複数の画像形成装置は、前記各パーツに付された前記非接触タグを読み取るタグ読み取り部を備え、
前記制御装置は、交換されたパーツの交換前の設定を取得し、該設定を交換後の部位で反映させる、
ことを特徴とする請求項１５−２０のいずれか一項に記載の制御装置。
【手続補正２】
【補正対象書類名】明細書
【補正対象項目名】発明の名称
【補正方法】変更
【補正の内容】
【発明の名称】画像形成システム及び画像形成システム制御方法並びに制御装置
【手続補正３】
【補正対象書類名】明細書
【補正対象項目名】０００１
【補正方法】変更
【補正の内容】
【０００１】
本発明は、画像形成システム及び画像形成システム制御方法並びに制御装置に関し、特に、ユーザによるパーツ交換を適切に行う技術に関する。
【手続補正４】
【補正対象書類名】明細書
【補正対象項目名】００１３
【補正方法】変更
【補正の内容】
【００１３】
（１）相互に交換可能な複数のパーツを構成部品として有し、記録紙に画像を形成する画像形成システムであって、画像形成を制御すると共に、各パーツの状況を管理する制御部を備え、前記制御部は、いずれかのパーツの交換時期が到来した場合に、交換時期が到来した前記パーツである交換対象パーツに対して、相互に交換が可能なパーツとしての互換パーツの存在を検出する機能を有する、ことを特徴とする。
また、相互に交換可能なパーツをそれぞれの構成部品として有する複数の画像形成装置を管理する制御装置であって、前記制御装置は、いずれかの画像形成装置におけるパーツの交換時期が到来した場合に、交換時期が到来した前記パーツである交換対象パーツに対して、他の画像形成装置における相互に交換が可能なパーツとしての互換パーツの存在を検出する機能を有する、ことを特徴とする。
【手続補正５】
【補正対象書類名】明細書
【補正対象項目名】００１４
【補正方法】変更
【補正の内容】
【００１４】
（２）上記（１）において、記録紙のいずれかの領域を分担して画像形成することが可能に直列に接続された複数の画像形成装置を備え、前記制御部は、一方の画像形成装置のいずれかのパーツの交換時期が到来した場合に、前記互換パーツの存在を他方の画像形成装置において検出する、ことを特徴とする。
また、上記（１）の制御装置において、記録紙のいずれかの領域を分担して画像形成することが可能に直列に接続された複数の画像形成装置を管理する、ことを特徴とする。
【手続補正６】
【補正対象書類名】明細書
【補正対象項目名】００１５
【補正方法】変更
【補正の内容】
【００１５】
（３）上記（１）−（２）において、前記制御部は、前記交換対象パーツと前記互換パーツとを相互に交換した場合に生じる影響を求める機能を有する、ことを特徴とする。
また、上記（１）−（２）において、前記制御装置は、前記交換対象パーツと前記互換パーツとを相互に交換した場合に生じる影響を求める機能を有する、ことを特徴とする。
【手続補正７】
【補正対象書類名】明細書
【補正対象項目名】００１６
【補正方法】変更
【補正の内容】
【００１６】
（４）上記（１）−（３）において、前記制御部は、前記互換パーツの存在を検出し、該検出結果を画像形成システム外の機器に対して出力する機能を有する、ことを特徴とする。
また、上記（１）−（３）において、前記制御装置は、前記互換パーツの存在を検出し、該検出結果を前記複数の画像形成装置外の機器に対して出力する機能を有する、ことを特徴とする。
【手続補正８】
【補正対象書類名】明細書
【補正対象項目名】００１７
【補正方法】変更
【補正の内容】
【００１７】
（５）上記（１）−（４）において、各種情報を表示する表示部を備え、前記制御部は、前記互換パーツの存在を検出し、該検出結果を前記表示部に表示する機能を有する、ことを特徴とする。
また、上記（１）−（４）において、前記複数の画像形成装置は、各種情報を表示する表示部を備え、前記制御装置は、前記互換パーツの存在を検出し、該検出結果を前記表示部に表示する機能を有する、ことを特徴とする。
【手続補正９】
【補正対象書類名】明細書
【補正対象項目名】００１８
【補正方法】変更
【補正の内容】
【００１８】
（６）上記（３）において、各種情報を表示する表示部と、各種操作が入力される操作部とを備え、前記制御部は、前記交換対象パーツと前記互換パーツとを相互に交換した場合に生じる影響とを前記表示部に表示すると共に、前記互換パーツを使用するか否かについての選択を前記操作部から受け付ける、ことを特徴とする。
また、上記（３）において、前記複数の画像形成装置は、各種情報を表示する表示部と、各種操作が入力される操作部とを備え、前記制御装置は、前記交換対象パーツと前記互換パーツとを相互に交換した場合に生じる影響とを前記表示部に表示すると共に、前記互換パーツを使用するか否かについての選択を前記操作部から受け付ける、ことを特徴とする。
【手続補正１０】
【補正対象書類名】明細書
【補正対象項目名】００１９
【補正方法】変更
【補正の内容】
【００１９】
（７）上記（１）−（６）において、前記各パーツのそれぞれに非接触で読み取り可能であって各パーツの設定が記録される非接触タグが付され、前記各パーツに付された前記非接触タグを読み取るタグ読み取り部を備え、前記制御部は、交換されたパーツの交換前の設定を取得し、該設定を交換後の部位で反映させる、ことを特徴とする。
また、上記（１）−（６）において、前記各パーツのそれぞれは、非接触で読み取り可能であって各パーツの設定が記録される非接触タグが付され、前記複数の画像形成装置は、前記各パーツに付された前記非接触タグを読み取るタグ読み取り部を備え、前記制御装置は、交換されたパーツの交換前の設定を取得し、該設定を交換後の部位で反映させる、ことを特徴とする。